(57)【特許請求の範囲】
【請求項１】
スピーカーの呼び出し音又は振動器の振動を切り替えて呼び出しを行う携帯電話において、重力の方向に対する携帯電話の角度によって該スピーカー又は該振動器への接続を切り替える重力スイッチを含むことを特徴とした携帯電話。
【請求項２】
前記重力スイッチが、油及び水銀が密封された円筒状の容器、及び該容器の一端又は両端に設けられた接点とで構成され、該水銀によって該接点が閉じられることによって、前記スピーカー又は振動器への接続が切り替えられる請求項１に記載の携帯電話。
【請求項３】
スピーカーの呼び出し音、振動器の振動、又は非着信手段による非着信状態の切り替えを行う携帯電話において、重力の方向に対する携帯電話の傾斜によって該スピーカー、該振動器又は該非着信手段への接続を切り替える重力スイッチを含むことを特徴とした携帯電話。
【請求項４】
前記重力スイッチが、油及び水銀が密封され、側壁の所定部分が突出した円筒状の容器、及び該容器の側壁及び一端又は両端に設けられた接点とで構成され、該水銀によって該接点が閉じられることによって、前記スピーカー、振動器又は非着信手段への接続が切り替えられる請求項３に記載の携帯電話。
【発明の詳細な説明】
【０００１】
【発明の属する技術分野】
本発明はキー操作を行わずに着信時の呼び出し方法の切り替えが行える携帯電話に関する。
【０００２】
【従来の技術】
近年、携帯電話の急激な普及と共に公共の場での使用マナーが問題になっている。例えば、公共施設や電車内での携帯電話の呼び出し音は、周囲の人へ迷惑がかかる。また、自動車の運転中に携帯電話を使用し、交通事故を起こす事例も起きている。
【０００３】
そこで、携帯電話の機能としてマナーモードという機能を設け、携帯電話の呼び出し音を鳴らさず、携帯電話に内蔵された振動器が振動することによって、着信を知らせる機能がある。また、自動車の運転中であれば携帯電話を着信ができない非着信状態にし、相手に自動車を運転中であることを伝える自動車運転モードも設けられている。更に、電車及び劇場内においては、車掌や係員が携帯電話の電源を切るようにアナウンスしている。
【０００４】
しかし、移動のたびにマナーモードや自動車運転モードを変更したり、携帯電話の電源を切ったりするのは面倒である。携帯電話のモードを変更したり、電源を切ったりした際、劇場などの暗闇で携帯電話のディスプレイをみて確認するのは困難であり、運転中は危険である。また、携帯電話のキーは小型であり、指の大きな者にとって携帯電話のキーは押しにくい欠点がある。更に、なれない者にとっては、移動のたびに煩雑なキー操作を行うのはかなり苦労する。
【０００５】
【発明が解決しようとする課題】
本発明の目的は、キー操作を行わずに、各種の使用モードが変更できできたり、電源のオン又はオフができる携帯電話を提供することにある。
【０００６】
【課題を解決するための手段】
本発明に係る携帯電話の要旨は、スピーカーの呼び出し音又は振動器の振動を切り替えて呼び出しを行う携帯電話において、重力の方向に対する携帯電話の角度によって該スピーカー又は該振動器への接続を切り替える重力スイッチを含むことにある。本発明の携帯電話は、携帯電話に内蔵された重力スイッチの角度を変えることによって重力スイッチが作動し、スピーカーと振動器への接続が切り替えられ、携帯電話のキーによる操作は必要なく、手探りで携帯電話の向きを確認することがスピーカー又は振動器のどちらを使用するかの確認になる。
【０００７】
前記重力スイッチは、油及び水銀が密封された円筒状の容器、及び該容器の一端又は両端に設けられた接点とで構成され、該水銀によって該接点が閉じられることによって、前記スピーカー又は振動器への接続が切り替えられる。
【０００８】
本発明に係る他の携帯電話の要旨は、スピーカーの呼び出し音、振動器の振動、又は非着信手段による非着信状態の切り替えを行う携帯電話において、重力の方向に対する傾斜によって該スピーカー、該振動器又は該非着信手段への接続を切り替える重力スイッチを含むことにある。携帯電話の重力スイッチの角度が変わることによって重力スイッチが作動し、スピーカー、振動器及び非着信手段への接続の切り替えが行われる。
【０００９】
前記重力スイッチは、油及び水銀が密封され、側壁の所定部分が突出した円筒状の容器、及び該容器の側壁及び一端又は両端に設けられた接点とで構成され、該水銀によって該接点が閉じられることによって、前記スピーカー、振動器又は非着信手段への接続が切り替えられる。
【００１０】
【発明の実施の形態】
次に、本発明の携帯電話における実施の形態を図面を基にして説明する。
【００１１】
図１及び図２に示すように、本発明の携帯電話１０は、重力の方向に対する携帯電話１０の角度によってスピーカー２８又は振動器３０への接続を切り替えるための重力スイッチ１２を含む。この重力スイッチ１２は、油１６及び水銀１８が密封された円筒状の容器１４、及び容器１４の長軸方向の一端に設けられた接点２０とで構成される。この接点２０はリレー２２のコイル２４に接続される。また、リレーのスイッチ２６は、スピーカー２８及び振動器３０に接続され、コイル２４に電流が流れると振動器３０に接続し、電流が流れないとスピーカー２８に接続される。
【００１２】
本明細書では、携帯電話１０が図２ａのように立った状態であるとき、携帯電話１０が重力の方向に対して１８０度であると定義する。携帯電話１０が図２ａのような状態であるとき、重力スイッチ２０は図２ｂのように水銀１８が接点２０の反対側に沈むように、携帯電話１０の中に設置される。
【００１３】
重力スイッチ１２によるスピーカー２８又は振動器３０への接続の切り替えについて説明する。携帯電話１０が図２ａの状態であるならば、重力スイッチ１２は、図２ｂのように水銀１８が接点２０の無い方へ沈んでしまい、接点２０が開けられる。接点２０が開けられていることによって、リレー２２のコイル２４には電流が流がれず、リレーのスイッチ２６はＡの方に接続されている。従って、スピーカー２８と電源３２とが接続され、スピーカー２６の呼び出し音によって着信時の呼び出しが行われる。
【００１４】
図２ｃのように携帯電話１０の向きが下方向、即ち、携帯電話１０が重力の方向に対して０度であるとき、重力スイッチ１２は、図２ｄのように水銀１８が接点２０の方向に沈んでしまい、接点２０が閉じられる。従って、コイル２４には電流が流れ、リレーのスイッチ２６がＢの方に接続される。従って、振動器３０と電源３２とが接続され、振動によって着信時の呼び出しが行われる。
【００１５】
上記のように本発明の携帯電話１０は、重力の方向に対する携帯電話１０の角度によってスピーカー２８又は振動器３０への切り替えが行え、キー操作を行わなくてもよい。ポケットや鞄の中に携帯電話１０を入れている場合、携帯電話１０の上下をひっくり返すだけで、その場に応じた呼び出しを行うことができる。従って、暗闇において手探りで携帯電話１０が重力の方向に対してどのような角度であるかを確認することによって、スピーカー２８又は振動器３０のどちらが使用されるかを確認することができる。
【００１６】
また、スピーカー２８又は振動器３０の切り替え以外に、図３及び図４に示すように自動車の運転中などに携帯電話１０に出られない場合に、自動車運転モードなど携帯電話１０を非着信状態にするための非着信手段３１に切り替える携帯電話１０を説明する。携帯電話１０は、重力に対する携帯電話１０の角度によってスピーカー２８、振動器３０又は非着信手段３１への接続を切り替えるための重力スイッチ３６を含む。この重力スイッチ３６は、油１６及び水銀１８が密封され、側面の一部がなめらかに突出した円筒状の容器３８、及び容器３８の長軸方向の一端及び側面の突出した部分にそれぞれ設けられた第１接点４０と第２接点４２とで構成される。第１接点４０及び第２接点４２は、それぞれ第１リレー４４及び第２リレー４６の第１コイル４８及び第２コイル５０に接続される。また、第１リレー４４の第１スイッチ５２は、振動器３０及び第２スイッチ５４に接続される。第２リレー４６の第２スイッチ５４は、スピーカー２８又は非着信手段３１に接続される。
【００１７】
本明細書では、携帯電話１０の表が図４ａに示すように下を向いた状態のとき、携帯電話１０の角度が重力の方向に対して９０度であると定義する。携帯電話１０が図４ａの状態であるとき、図４ｂに示すように水銀１８が接点４２に接触されるように重力スイッチ３６を携帯電話１０の中に設置する。
【００１８】
重力スイッチ３６によるスピーカー２８、振動器３０及び非着信手段３１の切り替えについて説明する。図２ａに示すように、重力の方向に対して携帯電話１０が１８０度の角度であるならば、重力スイッチ３６は、水銀１８が第１接点４０及び第２接点４２のどちらにも接触されない。従って、第１コイル４８及び第２コイル５０には電流が流れず、第１スイッチ５２及び第２スイッチ５４はそれぞれＡ及びＣの方に接続される。スピーカー２８と電源３２とが接続され、スピーカー２８の呼び出し音によって着信時の呼び出しが行われる。
【００１９】
また、図２ｃに示すように重力の方向に対して携帯電話１０が０度の角度であるならば、重力スイッチ３６は、水銀１８が第１接点４０に接触された状体になる。従って、第１コイル４８に電流が流れ、第１スイッチ５２がＢに接続される。振動器３０が電源３２に接続され、振動器３０の振動による呼び出しが行われる。
【００２０】
更に、図４ａに示すように、携帯電話１０が重力の方向に対して９０度であるならば、図４ｂに示すように重力スイッチ３６は、水銀１８が第２接点４２に接触された状態になる。第２コイル５０に電流が流れ、第１コイル４８に電流が流れないため、第１スイッチ５２及び第２スイッチ５４は、それぞれＡ及びＤに接続される。従って、非着信手段３１が電源３２に接続され、携帯電話１０に出られないことを相手に伝えるためのモードになる。
【００２１】
本発明の携帯電話１０は、自動車運転中に携帯電話１０を図４ａの状態にすることによって、自動的に非着信手段３１と電源３２とが接続され、煩雑な操作を行わなくても相手に電話に出られないことを知らせることができる。
【００２２】
以上、本発明の携帯電話について実施の形態を示したが、本発明の携帯電話は上記の実施の形態に限定されることはない。例えば、図５ａに示すように、重力スイッチ５６の両端にそれぞれ第１接点６０及び第２接点６２を設け、それぞれが直接スピーカー２８及び振動器３０に接続されてもよい。また、図５ｂに示すように、重力スイッチ６４の両端及び側面に第１接点６８、第２接点７０及び第３接点７２を設け、それぞれがスピーカー２８、振動器３０及び非着信手段３１に接続されてもよい。
【００２３】
図１に示すようにリレー２２に替えて、図６ａに示す半導体を使用した制御回路７４を使用してもよい。この制御回路７４は、重力スイッチ５６の第１接点６０が水銀１８によって閉じられると、スピーカー２８と電源３２を接続し、第２接点６２が水銀１８によって閉じられると、振動器３０と電源３２とを接続する。また、図６ｂに示す制御回路７６は、第３接点７２を設けた重力スイッチ６４の場合に、第３接点７２が水銀１８によって閉じられると、非着信手段３１と電源３２とを接続する。
【００２４】
また、図６ａ，ｂの重力スイッチ５６，６４の各接点のいずれにも水銀１８が接触しない場合、制御回路７４，７６によって携帯電話のスイッチ３４を切断できるように、制御回路７４，７６の回路を構成してもよい。
【００２５】
更に、重力スイッチ５６を使用してスピーカー２８又は振動器３０の切り替えを行うか、携帯電話１０のキー操作によって切り替えを行うかを選択するキーを携帯電話１０に備え、制御回路７４の内部に重力スイッチ５６の使用の有無を選択する手段を設けてもよい。
【００２６】
図１の重力スイッチ１２は油１６と水銀１８を使用していたが、導電性の液体とその導電性の液体より比重の軽い非導電性の液体で構成してもよい。更に、導電性の液体と非導電性の液体の比重を反対にするならば、接点の位置を円筒状の容器の反対の位置に設ける。また、円筒状の容器１４以外に、任意の形状の容器を使用してもよく、四角柱状の容器なども使用できる。
【００２７】
図５及び図６の重力スイッチ５６以外に、図７に示すように球状の導体８２、容器８０、第１接点８４及び第２接点８６で構成される重力スイッチ７８を使用してもよい。球状の導体８２が重力によって移動することによって第１接点８４及び第２接点８６が開閉する仕組みになっている。この重力スイッチ７８の接点を第１接点８４又は第２接点８６のみにし、図１に示す重力スイッチ１２と変更することも可能である。
【００２８】
また、図８に示すように携帯電話８８の下部付近にクリップ９０を設け、携帯電話８８をポケットに引っかけやすくすることも可能である。
【００２９】
その他、本発明はその趣旨を逸脱しない範囲で当業者の知識に基づき種々なる改良、修正及び変形を加えた態様で実施できるものである。また、同一の作用又は効果が生じる範囲内で、いずれかの発明特定事項を他の技術に置換した形態で実施しても良い。更に、一体に構成されている発明特定事項を複数の部材から構成しても、複数の部材から構成されている特定事項を一体に構成した形態で実施しても良い。
【００３０】
【発明の効果】
本発明の携帯電話は、スピーカーによる呼び出し音と振動器の振動による呼び出しを切り替えるために、重力スイッチを設けたことによって、携帯電話の重力に対する角度を変化させるだけで、簡単に切り替えることができる。胸のポケットに携帯電話を入れている場合、携帯電話を取り出し、ひっくり返して再び胸のポケットにしまうだけで、切り替えが完了する。従って、暗闇において携帯電話を手探りでさわるだけで、スピーカー又は振動器のどちらが使用されるかを確認することができる。携帯電話の小さなキーを押さなくて済むので、指の大きな者にとって扱いやすい携帯電話である。
【００３１】
また、自動車運転中に携帯電話に出られないことを相手に知らせる自動車運転モードなど、携帯電話を非着信状態にするための非着信手段を機能させるための切り替えも、重力スイッチで行うことによって、携帯電話の小さなキーを操作することなく簡単に行え、電子機器の煩雑な操作に慣れていない者でも簡単に切り替えを行うことができる。
【図面の簡単な説明】
【図１】本発明の重力スイッチを含む携帯電話の回路図である。
【図２】携帯電話と重力スイッチの関係を示した図であり、（ａ）は携帯電話が立っている図であり、（ｂ）は（ａ）の状体での重力スイッチの状体であり、（ｃ）は携帯電話が下を向いている図であり、（ｄ）は（ｃ）の状体での重力スイッチの状体である。
【図３】図１の回路図に非着信手段への切り替えを含めた回路図である。
【図４】携帯電話と重力スイッチの関係を示した図であり、（ａ）は携帯電話が下向きに寝かされた図であり、（ｂ）は（ａ）の状体での重力スイッチの状体である。
【図５】本発明の他の実施形態を示す図であり、（ａ）は重力スイッチの容器の両端に接点を設けた場合の回路図であり、（ｂ）は（ａ）の回路図に非着信手段への切り替えを含めた回路図である。
【図６】本発明の他の実施形態を示す図であり、（ａ）は制御手段を使用した回路図であり、（ｂ）は（ａ）の回路図に非着信手段への切り替えを含めた回路図である。
【図７】重力スイッチの他の実施形態を示した図である。
【図８】携帯電話にクリップを設けた図である。
【符号の説明】
１０，８８：携帯電話
１２，３６，５６，６４，７８：重力スイッチ
１４，３８，５８，６６，８０：容器
１６：油
１８：水銀
２０：接点
２２：リレー
２４：リレーのコイル
２６：リレーのスイッチ
２８：スピーカー
３０：振動器
３１：非着信手段
３２，３３：電源
３４：携帯電話のスイッチ
４０，６０，６８，８４：第１接点
４２，６２，７０，８６：第２接点
４４：第１リレー
４６：第２リレー
４８：第１コイル
５０：第２コイル
５２：第１スイッチ
５４：第２スイッチ
７２：第３接点
７４，７６：制御回路
８２：導体
９０：クリップ
【図１】
0004131453.tif 000002
【図２】
0004131453.tif 000003
【図３】
0004131453.tif 000004
【図４】
0004131453.tif 000005
【図５】
0004131453.tif 000006
【図６】
0004131453.tif 000007
【図７】
0004131453.tif 000008
【図８】
0004131453.tif 000009